(57)【要約】【課題】視力低下や眼病の予防を促進することの可能な眼診断システムを提供する。【解決手段】被診断者１０の眼を撮影する眼撮影用カメラ１を搭載した被診断者用パソコン２と、被診断者の眼の画像を分析する眼画像分析装置４とをインターネット３で接続し、パソコンが眼撮影用カメラにより撮影した眼画像をインターネットを介して眼画像分析装置へ転送し、眼画像分析装置がインターネットを介して転送された眼画像を分析して診断し、診断結果をインターネットを介してパソコンへ返信する。また、眼画像分析装置の分析内容をＬＡＮ５を介して医師診断用パソコン６へ通知することにより医師が分析内容を診断し、医師の診断結果をＬＡＮ及びインターネットを介してパソコンに返信する。【選択図】        図１
2004261316.tif 000002
【特許請求の範囲】
【請求項１】
被診断者の眼を撮影するカメラを搭載した端末装置と、被診断者の眼の画像を分析する眼画像分析装置とを広域ネットワークを介して接続し、前記端末装置が前記カメラにより撮影した眼画像を前記広域ネットワークを介して前記眼画像分析装置へ転送し、
前記眼画像分析装置が前記広域ネットワークを介して転送された眼画像を分析して診断し、診断結果を前記広域ネットワークを介して前記端末装置へ返信するようにした眼診断システム。
【請求項２】
医師診断用端末装置と前記眼画像分析装置とをローカルなネットワークを介して接続し、前記眼画像分析装置の分析内容を前記ローカルなネットワークを介して前記医師診断用端末装置へ通知することにより医師が分析内容を診断し、前記医師の診断結果を前記ローカルなネットワーク及び広域ネットワークを介して前記端末装置に返信するよう構成されている請求項１に記載の眼診断システム。
【請求項３】
前記眼画像分析装置は、コンタクトレンズ装着後の眼とコンタクトレンズの装着検査を行うよう構成されている請求項１又は２に記載の眼診断システム。
【請求項４】
前記眼画像分析装置は、眼の傷及び／又は充血度を分析するよう構成されている請求項１から３のいずれか１つに記載の眼診断システム。
【請求項５】
前記眼画像分析装置は、両眼の使い方のバランスの変化を分析するよう構成されている請求項１から４のいずれか１つに記載の眼診断システム。
【請求項６】
前記眼画像分析装置は、眼の見開き方を分析するよう構成されている請求項１から５のいずれか１つに記載の眼診断システム。
【請求項７】
前記眼画像分析装置は、眼と前記撮影用カメラの距離を分析して眼と前記撮影用カメラとの距離から視力低下の兆候を検出するよう構成されている請求項１から６のいずれか１つに記載の眼診断システム。
【発明の詳細な説明】
【０００１】
【発明の属する技術分野】
本発明は、眼を診断する眼診断システムに関する。
【０００２】
【従来の技術】
従来の眼の診断方法は、図３に示すような方法が一般的であった。以下、従来の眼診断方法について、図３を参照しながら説明する。例えばコンタクトレンズを新規に購入すると、被診断者１０の眼とコンタクトレンズの装着度検査や視力検査を受診するために、定期的に通院する必要があり、この場合の診断は、医師１１が眼診断装置７を用いて被診断者の眼を診断することにより行う。
【０００３】
しかしながら、従来の眼の診断方法では、自覚症状がない限り、継続して通院して医師の診断を受ける人は少ない。その結果、視力低下や眼病の発見などが遅れ、予防が難しくなる。特に子供の視力低下は大人が気づくことが難しい。また、パソコンなどの情報機器が普及し、子供のうちから眼を酷使する環境になりつつあるため、子供の視力低下が予想される。なお、眼を診断する他の従来装置としては、下記の特許文献１〜３で提案されているものがある。
【０００４】
【特許文献１】
実用新案登録第１７１９５８１号
【特許文献２】
実開昭６２−１０７８０２号公報
【特許文献３】
特開平１０−１１８０３０号公報
【０００５】
【発明が解決しようとする課題】
しかしながら、上記の図３の装置や、特許文献１〜３などにおいて提案された装置は、遠隔地からの自動診断が困難であり、通院して診断を受ける必要があるという問題点がある。
【０００６】
本発明は、このような問題を解決するためになされたもので、遠隔地から眼を自動診断することができ、眼病、視力低下が深刻化する前に予防できる眼診断システムを提供することを目的とする。
本発明はまた、医師が遠隔地から自動診断することができる眼診断システムを提供することを目的とする。
【０００７】
【課題を解決するための手段】
本発明は上記目的を達成するために、被診断者の眼を撮影するカメラを搭載した端末装置と、被診断者の眼の画像を分析する眼画像分析装置とを広域ネットワークを介して接続し、
前記端末装置が前記カメラにより撮影した眼画像を前記広域ネットワークを介して前記眼画像分析装置へ転送し、
前記眼画像分析装置は前記広域ネットワークを介して転送された眼画像を分析して診断し、診断結果を前記広域ネットワークを介して前記端末装置へ返信するように構成したものである。
この構成により、眼画像分析装置が広域ネットワークを通じて撮影用カメラで撮影した眼の映像を基に自動的に診断し、診断結果を広域ネットワークを通じて返信するので、被診断者は通院をすることなく、迅速に診断を受けることができる。
【０００８】
本発明はまた、医師診断用端末装置と前記眼画像分析装置とをローカルなネットワークを介して接続し、前記眼画像分析装置の分析内容を前記ローカルなネットワークを介して前記医師診断用端末装置へ通知することにより医師が分析内容を診断し、医師の診断結果を前記ローカルなネットワーク及び広域ネットワークを介して前記端末装置に返信するように構成したものである。
この構成により、被診断者が通院することなく医師の正確な診断を迅速に受けることができる。
【０００９】
眼画像分析装置は、コンタクトレンズ装着後の眼とコンタクトレンズの装着検査を行うものである。
この構成により、被診断者が眼とコンタクトレンズの装着検査のために定期的に通院することなく、迅速に診断を受けることができる。
【００１０】
眼画像分析装置は、眼の傷及び／又は充血度を分析するものである。
この構成により、被診断者が眼の傷及び／又は充血度の診断を受けることができる。
【００１１】
眼画像分析装置は、両眼の使い方のバランスの変化を分析するものである。
この構成により、被診断者が両眼の使い方のバランスの診断を受けることができる。
【００１２】
眼画像分析装置は、眼の見開き方を分析するものである。
この構成により、眼の見開き方のしぐさから、視力低下の兆候を早期に検出することができる。
【００１３】
眼画像分析装置は、眼と前記撮影用カメラの距離を分析して眼と前記撮影用カメラとの距離から視力低下の兆候を検出するものである。
この構成により、被診断者の眼と前記撮影用カメラとの距離から、視力低下の兆候を早期に検出することができる。
【００１４】
【発明の実施の形態】
以下、図面を参照して本発明の実施の形態について説明する。図１は本発明に係る眼診断システムの一実施の形態を示す構成図、図２は図１の眼診断システムの通信シーケンスを示す説明図である。
【００１５】
図１に示すように、本発明の実施の形態の眼診断システムは、被診断者１０の眼を撮影する眼撮影用カメラ１を搭載した被診断者用パソコン２と、眼画像分析装置４をインターネット３に接続し、また、眼画像分析装置４と医師１１が診断に使う医師診断用パソコン６をＬＡＮ５で接続する。
【００１６】
本システムでの眼の診断手順を図２に示す。被診断者１０が被診断者用パソコン２を利用中に、被診断者用パソコン２から眼撮影用カメラ１へ、被診断者の眼の撮影を指示し（撮影指示シーケンス１）、眼撮影用カメラ１はその指示を受けて、被診断者の眼を撮影する（撮影シーケンス２）。眼撮影用カメラ１で撮影した画像は被診断者用パソコン２に転送され（画像転送シーケンス３）、被診断者用パソコン２は、インターネット３を経由して眼画像分析装置４に転送（画像転送シーケンス４）する。以下に具体的な診断例１〜４を挙げて説明する。
【００１７】
（診断例１）
眼画像分析装置４が被診断者１０の眼とコンタクトレンズの装着検査を行う場合、眼画像分析装置４はコンタクトレンズ装着中の眼とコンタクトレンズのずれ方、コンタクトレンズ装着による眼の傷を分析（画像分析シーケンス５）する。
分析の結果、医師１１の判断を仰ぐ必要のない場合は、被診断者用パソコン２へ診断結果を送信し（分析結果送信シーケンス６）、被診断者用パソコン２に表示する（表示シーケンス１１）。他方、分析の結果、医師１１の判断を仰ぐ必要がある場合、医師診断用パソコン６に画像を転送する（画像転送シーケンス７）。
医師１１が画像を医師診断用パソコン６上で診断し（医師診断シーケンス８）、診断結果を眼画像分析装置４を経由して診断結果を送信し（診断結果送信シーケンス９、１０）、被診断者用パソコン２に表示する（表示シーケンス１１）。
【００１８】
（診断例２）
眼画像分析装置４が被診断者１０の両眼の使い方のバランス分析を行う場合、眼撮影用カメラ１は、被診断者１０の両眼を中心に顔画像を撮影し（撮影シーケンス２）、眼画像分析装置４は被診断者用パソコン２のディスプレイに向かう被診断者１０の顔の向きを分析する（画像分析シーケンス５）。分析の結果、医師１１の判断を仰ぐ必要がない場合は、両眼の使い方の偏りの分析結果を被診断者用パソコン２に送信し（分析結果送信シーケンス６）、表示する（表示シーケンス１１）。他方、分析の結果、医師１１の判断を仰ぐ必要がある場合、医師診断用パソコン６に画像を転送する（画像転送シーケンス７）。医師１１が画像を医師診断用パソコン６上で診断し（医師診断シーケンス８）、診断結果を眼画像分析装置４を経由して診断結果を送信し（診断結果送信シーケンス９、１０）、被診断者用パソコン２に表示する（表示シーケンス１１）。
【００１９】
（診断例３）
眼画像分析装置４が被診断者１０の結膜炎などの眼病検査を行う場合、眼撮影用カメラ１は、被診断者１０の眼を撮影し（撮影シーケンス２）、画像分析装置４は、眼の色から充血度を分析する（画像分析シーケンス５）。分析の結果、医師１１の判断を仰ぐ必要がない場合は、眼の色の変化の分析結果を被診断者用パソコン２に送信し（分析結果送信シーケンス６）、表示する（表示シーケンス１１）。他方、分析の結果、医師１１の判断を仰ぐ必要がある場合、医師診断用パソコン６に画像を転送する（画像転送シーケンス７）。医師１１が画像を医師診断用パソコン６上で診断し（医師診断シーケンス８）、診断結果を眼画像分析装置４を経由して診断結果を送信し（診断結果送信シーケンス９、１０）、被診断者用パソコン２に表示する（表示シーケンス１１）。
【００２０】
（診断例４）
また、画像分析装置４が被診断者１０の視力検査を行う場合、眼画像分析装置４は、視力が低下するに従い被診断者１０は眼を細め、あるいは被診断者用パソコン２のディスプレイに眼を近づける被診断者のしぐさを、被診断者１０の眼の見開き方や眼撮影用カメラ１と被診断者の眼の距離の変化を分析（画像分析シーケンス５）することで、視力低下の兆候を早期に発見することができ、視力低下予防を促進することができる。
【００２１】
このように、被診断者１０が意識することなく自動的に眼の診断を受けることができるで、コンタクトレンズ装着上の眼の問題や、両眼の使い方のバランス、視力低下、結膜炎などの眼病を早期に発見することができ、予防を促進することができる。
【００２２】
なお、以上の例では、被診断者用パソコン２から眼撮影用カメラ１への撮影指示を一度しか出していないが、定期的に撮影指示を出してもよく、リアルタイムに動画像通信を行ってもよい。また、被診断者用パソコン２と眼画像分析装置４が、インターネット３で接続されるとしたが、専用の広域ネットワークでもよい。被診断者用パソコン２は、携帯電話を含む他の端末装置でもよく、撮影用カメラを内蔵していれば、眼撮影用カメラ１はなくてもよい。また、医師１１の診断結果を眼画像分析装置４を経由して送信するとしたが、眼画像分析装置４を経由しなくてもよい。
【００２３】
【発明の効果】
以上の説明からも明らかなように、本発明では、広域ネットワークを利用して、定期的に眼の診断、あるいはコンタクトレンズの装着検査などをすることができるので、視力低下や、眼病、両眼の偏った使い方を早期に発見することができる。
さらに、本発明は、視力低下、眼病、両眼の偏った使い方を早期に発見することができるので、情報機器の多用が原因である肩こりや眼の疲れ、頭痛を、情報機器を活用することで解消し、健康を維持回復することもできる。
【図面の簡単な説明】
【図１】本発明に係る眼診断システムの一実施の形態を示す構成図
【図２】図１の眼診断システムの通信シーケンスを示す説明図
【図３】従来の眼診断方法を示す図
【符号の説明】
１  眼撮影用カメラ
２  被診断者用パソコン
３  インターネット
４  眼画像分析装置
５  ＬＡＮ
６  医師診断用パソコン
７  眼診断装置
１０  被診断者
１１  医師
【図１】
2004261316.tif 000003
【図２】
2004261316.tif 000004
【図３】
2004261316.tif 000005